(57)【要約】      （修正有）【課題】回転する羽根取付け部内に内設された点灯制御装置への電力の供給をコンミテータと電導ブラシを介して行うことにより電源部を共通化し、駆動部の回転と同時に点灯部を点灯させることができる残像表示機能を備えた携帯用扇風機を提供する。【解決手段】携帯用扇風機であって、把持部の内部に電源部及び駆動部を有すると共に前記把持部に電源スイッチを有し、駆動部により回転する回転軸の先端に設けられる羽根取付け部に柔軟性のある複数の羽根を備え、羽根取付け部には回転中心から円周方向へ複数の点灯体を配置する点灯部を有すると共に羽根取付け部内に前記点灯体の点灯を制御する点灯制御装置を有し、前記回転軸に軸着されて前記点灯制御装置に電力を供給するコンミテータと、このコンミテータに接触して把持部に内蔵した電源部からの電力を点灯制御装置に供給する導電ブラシを構成した。【選択図】図１
0003111819.tif 000002
【実用新案登録請求の範囲】
【請求項１】
携帯用扇風機であって、把持部の内部に電源部及び駆動部を有すると共に前記把持部に電源スイッチを有し、駆動部により回転する回転軸の先端に設けられる羽根取付け部に柔軟性のある複数の羽根を備え、羽根取付け部には回転中心から円周方向へ複数の点灯体を配置する点灯部を有すると共に羽根取付け部内に前記点灯体の点灯を制御する点灯制御装置を有し、前記回転軸に軸着されて前記点灯制御装置に電力を供給するコンミテータと、このコンミテータに接触して把持部に内蔵した電源部からの電力を点灯制御装置に供給する導電ブラシを有することを特徴とした残像表示機能を備えた携帯用扇風機。
【請求項２】
請求項１において、前記コンミテータは、３極整流子である３つのコンミテータ片で構成され、前記導電ブラシは、プラス極ブラシとマイナス極ブラシで構成され、前記点灯制御装置には、３相全波整流回路を備えたことを特徴とした残像表示機能を備えた携帯用扇風機。
【請求項３】
請求項１又は２において、前記点灯制御装置は、前記点灯部の各点灯体の点灯及び消灯のパターンを記憶した記憶部を有することを特徴とした残像表示機能を備えた携帯用扇風機。
【請求項４】
請求項１乃至３のいずれか１項において、前記周方向に直線状に配列された点灯部と前記駆動部の回転軸を中心とした反対の位置に配設されたバランス錘を更に備えたことを特徴とした残像表示機能を備えた携帯用扇風機。
【請求項５】
請求項１乃至４のいずれか1項において、前記複数の点灯体は、発光ダイオード又はＥＬ素子としたことを特徴とする残像表示機能を備えた携帯用扇風機。
【請求項６】
請求項１乃至５のいずれか１項において、前記記憶部には予め複数の点灯部制御情報を記憶し、作動時に該点灯部制御情報を自動的に切替えて実行することにより点灯部を点灯させる点灯制御装置としたことを特徴とする残像表示機能を備えた携帯用扇風機。
【請求項７】
請求項１乃至６のいずれか１項において、前記記憶部には予め複数の点灯部制御情報を記憶し、作動時に該点灯部制御情報を手動で切替て実行することにより点灯部を点灯させる点灯制御装置としたことを特徴とする残像表示機能を備えた携帯用扇風機。
【考案の詳細な説明】
【技術分野】
【０００１】
本考案は、残像表示機能を備えた携帯用扇風機に関するものである。
【背景技術】
【０００２】
従来、本出願人が出願した特開２００３−３１４４８７号公報「残像表示機能を設けた携帯用扇風機」にあるように、目の残像効果を利用した表示機能を設けることにより、実用性と娯楽性とを兼ね備えた携帯用扇風機があった。
【０００３】
しかし、従来の携帯用扇風機には、電池が消耗した際に、回転速度が低下し保持部材内に設けられた遠心力スイッチが作動し難くなったり、発光側用の電池と駆動部用の電池が分離されている為に消耗した電池を判別し難くかったり、保持部材内のボタン電池を交換することが煩雑になることがあった。
【特許文献１】特開２００３−３１４４８７号
【考案の開示】
【考案が解決しようとする課題】
【０００４】
そこで、本考案は、上記従来技術の問題点に斯かる実情に鑑みなされたもので、回転する羽根取付け部内に内設された点灯制御装置への電力の供給をコンミテータと電導ブラシを介して行うことにより電源部を共通化し、駆動部の回転と同時に点灯部を点灯させることができる残像表示機能を備えた携帯用扇風機を提供することを課題とする。
【課題を解決するための手段】
【０００５】
請求項１に記載の考案は、携帯用扇風機であって、把持部の内部に電源部及び駆動部を有すると共に前記把持部に電源スイッチを有し、駆動部により回転する回転軸の先端に設けられる羽根取付け部に柔軟性のある複数の羽根を備え、羽根取付け部には回転中心から円周方向へ複数の点灯体を配置する点灯部を有すると共に羽根取付け部内に前記点灯体の点灯を制御する点灯制御装置を有し、前記回転軸に軸着されて前記点灯制御装置に電力を供給するコンミテータと、このコンミテータに接触して把持部に内蔵した電源部からの電力を点灯制御装置に供給する導電ブラシを有することを特徴とする。
【０００６】
請求項２に記載の考案は、請求項１において、前記コンミテータは、３極整流子である３つのコンミテータ片で構成され、前記導電ブラシは、プラス極ブラシとマイナス極ブラシで構成され、前記点灯制御装置には、３相全波整流回路を備えたことを特徴とする。
【０００７】
請求項３に記載の考案は、請求項１又は２において、前記点灯制御装置は、前記点灯部の各点灯体の点灯及び消灯のパターンを記憶した記憶部を有することを特徴とする。
【０００８】
請求項４に記載の考案は、請求項１乃至３のいずれか１項において、前記周方向に直線状に配列された点灯部と前記駆動部の回転軸を中心とした反対の位置に配設されたバランス錘を更に備えたことを特徴とする。
【０００９】
請求項５に記載の考案は、請求項１乃至４のいずれか1項において、前記複数の点灯体は、発光ダイオード又はＥＬ素子としたことを特徴とする。
【００１０】
請求項６に記載の考案は、請求項１乃至５のいずれか１項において、前記記憶部には予め複数の点灯部制御情報を記憶し、作動時に該点灯部制御情報を自動的に切替えて実行することにより点灯部を点灯させる点灯制御装置としたことを特徴とする。
【００１１】
請求項７に記載の考案は、請求項１乃至６のいずれか１項において、前記記憶部には予め複数の点灯部制御情報を記憶し、作動時に該点灯部制御情報を手動で切替て実行することにより点灯部を点灯させる点灯制御装置としたことを特徴とする。
【考案の効果】
【００１２】
請求項１の考案によれば、回転する羽根取付け部内に内設された点灯制御装置への電力の供給をコンミテータと電導ブラシを介して行うことにより電源部を共通化し、駆動部の回転と同時に点灯部を点灯させることができる残像表示機能を備えた携帯用扇風機を提供することができる。このことから羽根の回転軌跡上に残像表示を実施することが可能となり、夜間のスポーツ観戦時や照明の少ない室内で使用することにより涼しくなりながら絵柄や画像を楽しむことができる。また夏期のノベルティ商品などに好適な商品を提供することができる。
【００１３】
請求項２の考案によれば、前記コンミテータは、３極整流子である３つのコンミテータ片で構成され、前記導電ブラシは、プラス極ブラシとマイナス極ブラシで構成され、前記点灯制御装置には、３相全波整流回路を備えることによって、耐久性の高い残像表示機能を備えた携帯用扇風機を提供することができる。
【００１４】
請求項３の考案によれば、前記点灯制御装置は、前記点灯部の各点灯体の点灯及び消灯のパターンを記憶した記憶部を有することにより、絵柄、画像による残像表示を楽しむことができる。
【００１５】
請求項４の考案によれば、バランス錘を備えることにより、羽根取付け部が偏心して回転することを抑止し、コンミテータや導電ブラシへの負荷を低減することができる。
【００１６】
請求項５の考案によれば、点灯体に衝撃などに対して高い耐久性を有する発光ダイオード又はＥＬ素子を配設しているので、羽根の回転に伴う振動や衝撃などによって破損し難い扇風機を提供することができる。
【００１７】
請求項６の考案によれば、前記記憶部には、予め複数の点灯体の制御情報を記憶することにより、残像表示による様々な絵柄や画像を楽しむことができ、作動時に該制御情報を自動的に切り替えて実行できる。
【００１８】
請求項７の考案によれば、前記記憶部には、予め複数の点灯体の制御情報を記憶することにより、残像表示による様々な絵柄や画像を楽しむことができ、作動時に該制御情報を手動で切り替えて実行できる。
【考案を実施するための最良の形態】
【００１９】
携帯用扇風機であって、把持部の内部に電源部及び駆動部を有すると共に前記把持部に電源スイッチを有し、駆動部により回転する回転軸の先端に設けられる羽根取付け部に柔軟性のある複数の羽根を備え、羽根取付け部には回転中心から円周方向へ複数の点灯体を配置する点灯部を有すると共に羽根取付け部内に前記点灯体の点灯を制御する点灯制御装置を有し、前記回転軸に軸着されて前記点灯制御装置に電力を供給する３極整流子である３つのコンミテータ片で構成されたコンミテータと、このコンミテータに接触して把持部に内蔵した電源部からの電力を点灯制御装置に供給するプラス極ブラシとマイナス極ブラシで構成された導電ブラシとを備えた携帯用扇風機とし、前記電源スイッチをオンにすることにより、駆動部のモータとコンミテータに接触するプラス極ブラシ及びマイナス極ブラシとへ同時に電圧を印加するものとした。
【００２０】
また、前記点灯制御装置には、３相全波整流回路と、前記点灯部の各点灯体の点灯及び消灯のパターンを記憶した記憶部を有し、前記羽根取付け部には、前記周方向に直線状に配列された点灯部と前記駆動部の回転軸を中心とした反対の位置に配設されたバランス錘とを備え、前記複数の点灯体は、発光ダイオード又はＥＬ素子とした。
【実施例】
【００２１】
以下、図面を参照して本発明に係る携帯用扇風機の一実施例を詳細に説明する。はじめに、図１〜図３を参照して携帯用扇風機の構造を説明する。図１は、本実施例に係る携帯用扇風機の外観を示している。図２は、図１に示す携帯用扇風機の分解斜視図面である。図３は、コンミテータと導電ブラシの接続を示す図である。
【００２２】
携帯用扇風機１０は、回転軸５４を有する駆動部５２を内設し使用者が把持可能な把持部５０と、３つの羽根３０を該回転軸５４に対して等角位置に固着させた羽根取付け部からなり、把持部５０内に配設された駆動部５２の回転軸５４が回転することにより該羽根取付け部が回転し、該羽根取付け部に固着した３枚の羽根によって風を起こし、携帯用扇風機１０の前方へと風を送ることができるものである。
【００２３】
羽根取付け部は、羽根支持部材１４、羽根支持カバー１６、錘２８によって構成され、点灯制御装置１８を内設し、後端にコンミテータ２６を有している。羽根支持部材１４は、略円筒形状に形成され、該円筒側面に各羽根３０をスクリュー状に固着させるように傾斜した羽根支持板１５が形成されている。また、円筒の底面中央には、該円筒底面を貫通する軸受け３２が形成され、該軸受け３２が回転軸５４と軸着するようになっている。また、該軸受け３２の先端にコンミテータ２６が固着され、回転軸５４の回転に伴ってコンミテータ２６も同様に回転するようになっている。また、羽根支持部材１４である円筒の底面近傍には、該軸受け３２の周囲に点灯制御装置１８である基板が固着されている。
【００２４】
羽根３０は、略半円状で柔軟性のあるウレタンシートで形成され、羽根支持部材１４に固着されている。該羽根取付け部の回転に伴って羽根３０が回転している時に、誤って羽根３０に使用者が触れてしまう場合においても、柔軟性のある羽根３０が変形するものの、使用者が怪我を負うことが無いようになっている。
【００２５】
点灯制御装置１８は、複数の点灯体からなる点灯部２２の点灯の制御を行うようになっている。また点灯制御装置１８には、記憶部２０が設けられ、該記憶部２０には、複数の点灯体からなる点灯部２２を点灯するタイミング及び点灯時間を記憶した点灯制御情報を複数記憶している。
【００２６】
次に実施例の羽根支持板１５上に配設される点灯部２２は、棒状の基板に直線状に配列された５つの点灯体２４ａ〜２４ｅで構成され、回転の中心から円周方向に配設されている。実施例の点灯体は、発光ダイオードであるが、発光ダイオードの他に、ＥＬ素子等の他の発光素子を設けて構成してもよい。また、点灯体の点灯する色は、実施例では、赤、緑、黄色の３色の色を点灯するようになっているが、この他に、青、白色などの色を点灯する点灯体を使用しても構わない。
【００２７】
次に羽根支持カバー１６は、略半球状に形成され、羽根支持部材１４の円筒の先端を覆うように固着される。また羽根支持カバー１６内には、錘２８が内設されている。この錘２８は、点灯制御装置１８の点灯部２２と対向する位置に配設され、回転軸５４にかかる羽根取付け部のバランスを保つことができる。
【００２８】
コンミテータ２６は、図３に示すように導電素材で形成された金属で形成された３極整流子であり、軸受け３２を覆うように湾曲した３つのコンミテータ片が等角の位置に差込んで固着されている。コンミテータ２６は、把持部５０内に配設される導電ブラシ６０である一対のプラス極ブラシ６２とマイナス極ブラシ６４と接触する。また、コンミテータ２６の３つのコンミテータ片は、導電するコードが接続されており、該コードは、点灯制御装置１８と接続されている。また回転するコンミテータ２６の３つのコンミテータ片が交互に導電ブラシ６０と接触する為に、点灯制御装置１８は、３つコードから供給される電気を直流へと変換する３相全波整流回路を有している。
【００２９】
次に把持部５０の説明を行う。把持部５０は、樹脂素材で逆Ｌ字型に形成され、その内部は中空となっており、駆動部５２、プラス極ブラシ６２とマイナス極ブラシ６４となる導電ブラシ６０、電源部６８、電源スイッチ７０が内設されている。把持部５０のＬ字型の一方の内部には、駆動部５２と導電ブラシ６０が内設され、他方の内部には、電源部６８が内設されると共に、電源スイッチ７０が把持部５０から突設されている。
【００３０】
駆動部５２は、回転軸５４を回転させるモータである。また、駆動部５２の軸方向の一端を覆う駆動部カバー５６が形成されている。また、該回転軸５４の軸方向に円筒形状で一方が開口し他方の底面中央に孔が形成されたブラシ支持部５８が配設され、該円筒内の側面にコンミテータ２６と接触するように導電ブラシ６０がそれぞれ対向する位置に配設されている。また、ブラシ支持部５８と同様に、円筒形状で一方が開口し他方の底面中央に孔が形成されたブラシカバー６６が、ブラシ支持部５８の開口した一方を覆うように固着されている。
【００３１】
導電ブラシ６０であるプラス極ブラシ６２とマイナス極ブラシ６４は、平板状に形成された導電素材で形成された金属であり、コンミテータ２６と接触することによって、回転する羽根取付け部内に内設された点灯制御装置１８に電源を供給することが可能となる。実施例では、コンミテータ２６と導電ブラシ６０を用いて回転する羽根１２内へと電源の供給を行っているが、この他に、スリップリングなどの機構を用いるようにしても構わない。
【００３２】
電源スイッチ７０は、把持部５０の側面に突設して配設されており、使用者が該電源スイッチ７０を押圧すると、駆動部５２及び点灯制御装置１８が作動する。実施例の電源スイッチ７０は、電源スイッチ７０への押圧を止めると電源スイッチ７０は復帰し駆動部５２及び点灯制御装置１８が停止するようになる。また電源スイッチ７０を押圧する毎に、点灯制御装置１８内の記憶部２０に記憶されている点灯パターンを切り替えて点灯部２２の制御を行うようにされている。
【００３３】
また把持部５０内には、電源部６８が内設されている。実施例では、電源部６８は一次電池である。また、この他に充電可能な二次電池などが使用可能である。
【００３４】
このように羽根取付け部にコンミテータ２６と導電ブラシ６０を介して電源供給を行うことによって、従来の残像表示を行う携帯用扇風機のように、羽根取付け部内に電池を必要としなくなると共に、羽根取付け部内に配設されていた遠心力を利用したスイッチなども不要となる。したがって、従来の残像表示を行う携帯用扇風機の如く羽根１２内の電池交換の手間を軽減することが可能である。また、羽根取付け部は、５０００ＲＰＭ等の高回転し、スリップリングと比べコンミテータ２６と導電ブラシ６０は、部品精度・組立て精度が高く、動作寿命も非常に長く、本考案の携帯用扇風機１０の耐久性が向上する。また、従来の残像表示を行う携帯用扇風機より、羽根取付け部の内の重量も軽量化を行うことが可能となり、駆動部５２自体の負荷が減る。したがって電源部６８の負荷も同時に減る素晴らしい携帯用扇風機１０である。
【００３５】
次に、図４及び図５を参照して、表示パターンの一例及び、点灯体の作動タイミングを説明する。図４は、残像表示パターンの一例を示している。図５は、図４における残像表示パターンを表示する為に表示体の点灯及び消灯切替えタイミングを示している。尚、図４では、羽根取付け部が一定の速度で回転している際の各点灯体の発光位置を示しており、各点灯体の発光位置は、ハッチングされた領域である。
【００３６】
実施例では、駆動部５２の回転軸５４の回転により、羽根３０にかかる空気抵抗とモータのトルクがつり合う為に羽根３０の回転速度は、ほぼ一定となる。その為に点灯体を点灯及び消灯するタイミングは、羽根３０の回転速度に応じた時間を点灯するだけでよい。
【００３７】
以下に、羽根３０が毎分６００回転（羽根３０が一回転するために要する時間は０．１秒）している場合の一例を説明する。点灯体２４ｂ〜２４ｅは角度にして略２π／３０ごとに点滅しているので、およそ０．１／１５秒毎に通電すればよい。
【００３８】
また図４の点灯体２４ｂ〜２４ｅは略点状に表示されているが、このように表示させるためには、点灯体の点灯時間調整する必要がある。点灯体２４ｂ〜２４eを略点状に表示する為には、最外周に位置する点灯体２４ｅの角速度が速く移動するので、点灯体２４ｅが略点状に点灯しているように見えるようにすれば、内周に設けられる点灯体２４ｂ〜２４ｄは、いずれも点状に見えるようになる。
【００３９】
実施例の点灯体である発光ダイオードの球径が５ｍｍであり、回転軸の中心から点灯体２４ｅ中心までの距離が５０ｍｍである場合、点灯体２４ｅが１ｍｍ程度動いても略球形に見える。このことから、点灯体２４ｅが１ｍｍ移動する時間は、点灯体２４ｅの中心が描く軌跡の円周は、２πｒより約３００ｍｍであり、点灯体中心の移動距離１ｍｍは角度にして１／３００＊２πであり、羽根３０が一回転に要する時間は０．１秒であるから、０．１＊１／３００秒、即ち１／３０００秒である。
【００４０】
つまり毎分６００回転している羽根３０の回転中心から５０ｍｍの位置に設けられる点灯体を略点状に点灯するためには通電時間を１／３０００秒以内とすればよい。ことから、点灯体２４ｂ〜２４ｅを図示するように点灯させるには、０．１／１５秒おきに１／３０００秒間以下の時間で通電すればよい。また、点灯体２４ａは０．１／３０秒の間隔をおいて０．１／１５秒間点灯させればよい。
【００４１】
このようにすれば、羽根３０が一周回転する毎に点灯体は同位置で点灯もしくは消灯状態となるため、人の目には残像効果で所定位置には発光が現れ、所定形状の絵柄として認識されようになる。
【００４２】
図６〜図８は図４に示すもの以外の表示パターンを例示するものであり、本実施例では点灯制御装置１８で一定時間毎に表示パターンを自動的に切替え可能としている。また表示パターンの切替えは、前記記憶部２０予め記憶される表示パターンを順次出力することにより実行しているが、他の方法としてランダムに出力させる構成としてもよい。
【００４３】
本実施例は、以上説明したように構成されるが、本発明はこれに限定されるものではなく、適宜点灯及び消灯間隔を設定することにより多様な表示形態を取り得るものである。
【図面の簡単な説明】
【００４４】
【図１】本考案の一実施例である携帯用扇風機の外観を示す図である。
【図２】本考案の一実施例である携帯用扇風機の分解した分解斜視図面である。
【図３】本考案の一実施例である携帯用扇風機に使用されるコンミテータと導電ブラシの接続を示す図である。
【図４】本考案の一実施例である携帯用扇風機の残像表示される一例を示す図である。
【図５】本考案の一実施例である図４に係る残像表示の各点灯体の点灯のタイミングを示す図である。
【図６】本考案の一実施例である携帯用扇風機の残像表示の例を示す図である。
【図７】本考案の一実施例である携帯用扇風機の残像表示の例を示す図である。
【図８】本考案の一実施例である携帯用扇風機の残像表示の例を示す図である。
【符号の説明】
【００４５】
１０    携帯用扇風機
１４    羽根支持部材
１５    羽根支持板
１６    羽根支持カバー
１８    点灯制御装置
２０    記憶部
２２    点灯部
２４ａ  点灯体
２４ｂ  点灯体
２４ｃ  点灯体
２４ｄ  点灯体
２４ｅ  点灯体
２６    コンミテーター
２８    錘
３０    羽根
３２    軸受け
５０    把持部
５２    駆動部
５４    回転軸
５６    駆動部カバー
５８    ブラシ支持部
６０    導電ブラシ
６２    プラス極ブラシ
６４    マイナス極ブラシ
６６    ブラシカバー
６８    電源部
７０    電源スイッチ
【図１】
0003111819.tif 000003
【図２】
0003111819.tif 000004
【図３】
0003111819.tif 000005
【図４】
0003111819.tif 000006
【図５】
0003111819.tif 000007
【図６】
0003111819.tif 000008
【図７】
0003111819.tif 000009
【図８】
0003111819.tif 000010